(57)【要約】      （修正有）【課題】照明の状況が良好で、省エネ、節電効果を備え、設備を拡充可能で、警備機能を有するスマート型発光ダイオード照明具を提供する。【解決手段】多数の主照明発光ダイオード２１と人体センサー４０，４０Ａ，４０Ｂと数個の夜間灯発光ダイオードを備えて、投光角度が異なる多数組の光源パネル２０，２０Ａ，２０Ｂを、照明ハウジング内に設置する。照明ハウジング上の制御回路板は少なくとも１個の検知処理回路と光源スイッチ回路を備える。検知処理回路は、人体センサー４０，４０Ａ，４０Ｂの信号を受信し、光源スイッチ回路へと出力する。光源スイッチ回路には多数の電力出力端を設置し、主照明発光ダイオード２１と電気的に連接する。【選択図】図３
0003152860.tif 000002
【実用新案登録請求の範囲】
【請求項１】
照明具ハウジング内に、投光角度が異なる多数組の光源パネルを設置し、前記照明具ハウジング上には、少なくとも１個の制御回路板を設置し、
前記各組光源パネル上にはすべて、多数の主照明発光ダイオードと人体センサーを備え、しかも、前記少なくとも１組の光源パネル上には、さらに数個の夜間灯発光ダイオードを設置し、
前記制御回路板は、少なくとも１個の検知処理回路と光源スイッチ回路を備え、
前記検知処理回路一端は、前記人体センサーの信号を受信し、反対端は信号を、前記光源スイッチ回路へと出力し、
前記光源スイッチ回路には、多数の電力出力端を設置し、それぞれ前記光源パネル上の多数の主照明発光ダイオードと電気的に連接し、
夜間は、前記夜間灯発光ダイオードの点灯により、ナイトランプとして使用することができ、しかも、任意の組の光源パネル上の人体センサーの探知角度範囲内に人が進入すると、前記検知処理回路の感知信号処理を利用し、前記光源スイッチ回路を通して、その組の光源パネル上の多数の主照明発光ダイオードを点灯させ、
投光角度が異なる多数組の光源パネルにより、その照明角度区域範囲内に人がいるかどうかによって、自動的に点灯、消灯する作用により、良好な照明効果を維持しながら、節電効果をも達成可能であることを特徴とするスマート型発光ダイオード照明具。
【請求項２】
前記照明具ハウジング上にはさらに、感光部品を設置し、しかも前記制御回路板上にはさらに、感光部品の信号を受信する感光処理回路を設置し、
前記感光処理回路と、前記光源パネル上の数個の夜間灯発光ダイオードは電気的に連接し、これにより前記感光部品は、環境の明度を感知し、夜になったなら、前記感光処理回路により、前記夜間灯発光ダイオードを自動的に点灯させ、ナイトランプを形成することを特徴とする請求項１に記載のスマート型発光ダイオード照明具。
【請求項３】
前記少なくとも１組の光源パネル上にはさらに、リモコンの信号を受信可能な受信器を設置することができ、しかも、前記制御回路板上にはさらに、前記受信器の信号を受信可能な機能処理回路を備え、また前記機能処理回路の出力端と、前記検知処理回路とは、電気的に連接し、
これにより、前記受信器は、前記リモコンの機能設定信号を受信し、照明機能を起動した状態において、前記機能処理回路により、前記検知処理回路を制御することができ、
前記多数組の光源パネル上の人体センサーの探知範囲内に人が進入すると、前記光源スイッチ回路により、人がいる場所の光源パネル上の主照明発光ダイオードを選択的に発光させることを特徴とする請求項１に記載のスマート型発光ダイオード照明具。
【請求項４】
前記機能処理回路は、前記受信器により、前記リモコンの機能設定信号を受信し、
前記制御回路板上にはさらに、警備スイッチ回路を備え、前記警備スイッチ回路一端は、前記検知処理回路が出力する信号を受信し、反対端は、信号を前記光源スイッチ回路へと出力し、
前記照明具ハウジング上にはさらに、警報器を設置し、前記警報器は、前記警備スイッチ回路と電気的に連接し、これにより前記リモコンが警備機能の起動を設定すると、前記機能処理回路は、前記検知処理回路を制御し、
前記多数組の光源パネル上の人体センサーが、物体の進入を探知すると、前記警備スイッチ回路を通して、前記警報器を触発し、前記警報器は警報を発し、
同時に、前記光源スイッチ回路を駆動し、前記光源パネル上の主照明発光ダイオードを点灯させ、物体の方向へと光を照射することを特徴とする請求項３に記載のスマート型発光ダイオード照明具。
【請求項５】
前記制御回路板上には、警備スイッチ回路を設置し、
前記照明具ハウジング上にはさらに、警備信号発射器を設置し、これにより、前記警備信号発射器と前記警備スイッチ回路とは電気的に連接し、前記警報器が、前記警備スイッチ回路により触発されると、同時に、前記警備信号発射器も外部の受信エンドに対して、警報信号を発信することを特徴とする請求項４に記載のスマート型発光ダイオード照明具。
【請求項６】
前記制御回路板上には、警備スイッチ回路を設置し、前記照明具ハウジング上には、前記警備スイッチ回路と電気的に連接する警報器と警備信号発射器を設置し、
前記少なくとも１組の光源パネル上にはさらに、気体探知器を設置し、前記検知処理回路の一端は、前記気体探知器の信号を受信し、前記気体探知器が室内の一酸化炭素、二酸化炭素、ガスなどの気体が危険値に達したことを探知すると、前記警備スイッチ回路により、前記警報器を触発し、
さらに、前記警備信号発射器により、外部の受信エンドに対して、警報信号を発信することを特徴とする請求項５に記載のスマート型発光ダイオード照明具。
【請求項７】
前記制御回路板上には、警備スイッチ回路を設置し、
前記警備スイッチ回路一端は、検知処理回路が発信する信号を受信し、反対端は信号を、光源スイッチ回路へと発信し、
前記制御回路板上にはさらに、影像スイッチ回路を備え、前記影像スイッチ回路は、前記機能処理回路により起動を設定されると、前記光源スイッチ回路によりその作動を制御され、
前記照明具ハウジング上にはさらに、前記影像スイッチ回路と電気的に連接する影像発射器を設置し、しかも、前記少なくとも１組の光源パネル上には、撮影機を設置し、影像信号を、前記影像発射器へと出力し、
前記人体センサーが、物体の進入を探知すると、前記影像発射器は、前記撮影機が撮影した影像信号を、受信エンドに伝送し、
受信エンドでは映像を見ることができるため、盗難防止、緊急対応能力を向上させられることを特徴とする請求項４に記載のスマート型発光ダイオード照明具。
【考案の詳細な説明】
【技術分野】
【０００１】
本考案はスマート型発光ダイオード照明具に関し、特に照明の状況が良好で、省エネ、節電効果を備え、設備を拡充可能で、警備機能を達成することができるスマート型発光ダイオード照明具に関する。
【背景技術】
【０００２】
従来の蛍光灯は、光線を四周に散開する方式で光を発し、反射カバーを用いて、一定の範囲への輝度を高めている。一方、発光ダイオード(LED)は、省エネ効果が高く、使用寿命が長い発光体で、半導体技術の向上により、モジュール化プロセスにより高いコストパフォーマンスを実現し、多数の発光ダイオードを集め組成する光源は、照明用途に広く利用されるようになっている。また、省エネ、節電効果を備える発光ダイオード照明具も、次々に開発され、使用が広がっている。特許文献１に示す「省エネ型発光ダイオード照明具」は、照明具パネル上に、人体センサーと複数の発光ダイオードを設置する。これにより、人が照明具に接近すると、人体センサーが感知し、複数の発光ダイオードの明度を自動的に上げ、人が離れると、発光ダイオードの明度を自動的に落とし、節電の効果を達成する。発光ダイオードは、投光方式により光を発する。従来の発光ダイオード照明具は、単一角度の平面である照明具パネルに、複数の発光ダイオードを設置するなら、その投光照明の輝度は十分であっても、有効照明範囲は非常に小さくなってしまう。球面の照明具パネルに、複数の発光ダイオードを平均に設置するなら、照明が届く範囲は広くなるが、集光が不十分で、輝度が不足する恐れがあり、しかも各発光ダイオードの発光輝度の制御が不安定である結果、部品寿命も不安定になってしまう。照明用途における、節電効果達成を目指す場合にも、品質の信頼性と良好な照明効果はやはり考慮しなければならない。本考案は、従来の発光ダイオード照明具の上記した欠点に鑑みてなされたものである。
【先行技術文献】
【特許文献】
【０００３】
【特許文献１】中華民国特許公告第５１５１０７号
【考案の概要】
【考案が解決しようとする課題】
【０００４】
本考案が解決しようとする課題は、スマート型発光ダイオード照明具を提供することである。
【課題を解決するための手段】
【０００５】
上記課題を解決するため、本考案は下記のスマート型発光ダイオード照明具を提供する。
スマート型発光ダイオードは、照明具ハウジング内に、投光角度が異なる多数組の光源パネルを設置し、該照明具ハウジング上には、少なくとも１個の制御回路板を設置し、
該各組光源パネル上にはすべて、多数の主照明発光ダイオードと人体センサーを備え、しかも、該少なくとも１組の光源パネル上には、さらに数個の夜間灯発光ダイオードを設置し、
該制御回路板は、少なくとも１個の検知処理回路と光源スイッチ回路を備え、
該検知処理回路一端は、該人体センサーの信号を受信し、反対端は信号を、該光源スイッチ回路へと出力し、
該光源スイッチ回路には、多数の電力出力端を設置し、それぞれ該光源パネル上の多数の主照明発光ダイオードと電気的に連接し、
夜間は、該夜間灯発光ダイオードの点灯により、ナイトランプとして使用することができ、しかも、任意の組の光源パネル上の人体センサーの探知角度範囲内に人が進入すると、該検知処理回路の感知信号処理を利用し、該光源スイッチ回路を通して、その組の光源パネル上の多数の主照明発光ダイオードを点灯させ、
投光角度が異なる多数組の光源パネルにより、その照明角度区域範囲内に人がいるかどうかによって、自動的に点灯、消灯する作用により、良好な照明効果を維持しながら、節電効果をも達成可能で、
該照明具ハウジング上にはさらに、感光部品を設置し、しかも該制御回路板上にはさらに、感光部品の信号を受信する感光処理回路を設置し、
該感光処理回路と、該光源パネル上の数個の夜間灯発光ダイオードは電気的に連接し、これにより該感光部品は、環境の明度を感知し、夜になったなら、該感光処理回路により、該夜間灯発光ダイオードを自動的に点灯させ、ナイトランプを形成し、
該少なくとも１組の光源パネル上にはさらに、リモコンの信号を受信可能な受信器を設置することができ、しかも、該制御回路板上にはさらに、該受信器の信号を受信可能な機能処理回路を備え、また該機能処理回路の出力端と、該検知処理回路とは、電気的に連接し、
これにより、該受信器は、該リモコンの機能設定信号を受信し、照明機能を起動した状態において、該機能処理回路により、該検知処理回路を制御することができ、
該多数組の光源パネル上の人体センサーの探知範囲内に人が進入すると、該光源スイッチ回路により、人がいる場所の光源パネル上の主照明発光ダイオードを選択的に発光させ、該機能処理回路は、該受信器により、該リモコンの機能設定信号を受信し、
該制御回路板上にはさらに、警備スイッチ回路を備え、該警備スイッチ回路一端は、該検知処理回路が出力する信号を受信し、反対端は、信号を該光源スイッチ回路へと出力し、該照明具ハウジング上にはさらに、警報器を設置し、該警報器は、該警備スイッチ回路と電気的に連接し、これにより該リモコンが警備機能の起動を設定すると、該機能処理回路は、該検知処理回路を制御し、
該多数組の光源パネル上の人体センサーが、物体の進入を探知すると、該警備スイッチ回路を通して、該警報器を触発し、該警報器は警報を発し、
同時に、該光源スイッチ回路を駆動し、該光源パネル上の主照明発光ダイオードを点灯させ、物体の方向へと光を照射し、
該制御回路板上には、警備スイッチ回路を設置し、
該照明具ハウジング上にはさらに、警備信号発射器を設置し、これにより、該警備信号発射器と該警備スイッチ回路とは電気的に連接し、該警報器が、該警備スイッチ回路により触発されると、同時に、該警備信号発射器も外部の受信エンドに対して、警報信号を発信し、
該制御回路板上には、警備スイッチ回路を設置し、該照明具ハウジング上には、該警備スイッチ回路と電気的に連接する警報器と警備信号発射器を設置し、
該少なくとも１組の光源パネル上にはさらに、気体探知器を設置し、該検知処理回路の一端は、該気体探知器の信号を受信し、該気体探知器が室内の一酸化炭素、二酸化炭素、ガスなどの気体が危険値に達したことを探知すると、該警備スイッチ回路により、該警報器を触発し、
さらに、該警備信号発射器により、外部の受信エンドに対して、警報信号を発信し、
該制御回路板上には、警備スイッチ回路を設置し、
該警備スイッチ回路一端は、検知処理回路が発信する信号を受信し、反対端は信号を、光源スイッチ回路へと発信し、
該制御回路板上にはさらに、影像スイッチ回路を備え、該影像スイッチ回路は、該機能処理回路により起動を設定されると、該光源スイッチ回路によりその作動を制御され、
該照明具ハウジング上にはさらに、該影像スイッチ回路と電気的に連接する影像発射器を設置し、しかも、該少なくとも１組の光源パネル上には、撮影機を設置し、影像信号を、該影像発射器へと出力し、
該人体センサーが、物体の進入を探知すると、該影像発射器は、該撮影機が撮影した影像信号を、受信エンドに伝送し、
受信エンドでは映像を見ることができるため、盗難防止、緊急対応能力を向上させることができる。
【考案の効果】
【０００６】
本考案スマート型発光ダイオード照明具は、投光角度が異なる多数組の光源パネルにより、その照明角度区域範囲内に人がいるかどうかによって、自動的に点灯、消灯する作用により、良好な照明効果を維持しながら、節電効果をも達成可能である。
【図面の簡単な説明】
【０００７】
【図１】本考案構造の外観見取り図である。
【図２】本考案構造の分解見取り図である。
【図３】本考案構造平面端の見取り図である。
【図４】本考案の光源パネル上構成部材の見取り図である。
【図５】本考案制御回路板の配線の見取り図である。
【考案を実施するための形態】
【０００８】
以下に図面を参照しながら本考案を実施するための最良の形態について詳細に説明する。
【実施例】
【０００９】
図１、２、３、４に示すように、照明具ハウジング１０内には、投光角度が異なる多数組の光源パネル２０、２０A、２０Bを設置する。照明具ハウジング１０上には、少なくとも１個の制御回路板３０を設置する。各光源パネル２０、２０A、２０B上にはすべて、多数の主照明発光ダイオード２１と人体センサー(赤外線センサーなど)４０、４０A、４０Bを備える。しかも、少なくとも１組の光源パネル２０上には、さらに数個の夜間灯発光ダイオード２２を設置する。図５に示すように、制御回路板３０は、少なくとも１個の検知処理回路３１と光源スイッチ回路３２を備える。検知処理回路３１一端は、人体センサー４０、４０A、４０Bの信号を受信し、反対端は信号を、光源スイッチ回路３２へと出力する。光源スイッチ回路３２には、多数の電力出力端を設置し、それぞれ光源パネル２０、２０A、２０B上の多数の主照明発光ダイオード２１と電気的に連接する。図４、５に示すように、夜間は、夜間灯発光ダイオード２２の点灯により、ナイトランプとして使用することができる。しかも、任意の組の光源パネル２０(或いは２０A、２０B)上の人体センサー４０(或いは４０A、４０B)の探知角度範囲内に人が進入すると、検知処理回路３１の感知信号処理を利用し、光源スイッチ回路３２を通して、その組の光源パネル２０(或いは２０A、２０B)上の多数の主照明発光ダイオード２１を点灯させる。投光角度が異なる多数組の光源パネルにより、その照明角度区域範囲内に人がいるかどうかによって、自動的に点灯、消灯する作用により、良好な照明効果を維持しながら、節電効果をも達成することができる。
【００１０】
図１、５に示すように、照明具ハウジング１０上にはさらに、感光部品(フォトレジストなど)５０を設置することができる。しかも、制御回路板３０上にはさらに、感光部品５０の信号を受信する感光処理回路３３を設置する。図４、５に示すように、感光処理回路３３と、光源パネル２０、２０A、２０B上の数個の夜間灯発光ダイオード２２は電気的に連接する。これにより感光部品５０は、環境の明度を感知し、夜になったなら、感光処理回路３３により、夜間灯発光ダイオード２２を自動的に点灯させ、ナイトランプを形成する。
【００１１】
図２、４、５に示すように、少なくとも１組の光源パネル２０上にはさらに、リモコン６０(赤外線リモコンなど)の信号を受信可能な受信器６１(赤外線受信器など)を設置することができる。しかも、制御回路板３０上にはさらに、受信器６１の信号を受信可能な機能処理回路３４を備え、また機能処理回路３４の出力端と、検知処理回路３１とは、電気的に連接する。これにより、受信器６１は、リモコン６０の機能設定信号を受信し、照明機能起動状態において、機能処理回路３４により、検知処理回路３１を制御することができる。図３、５に示すように、多数組の光源パネル２０、２０A、２０B上の人体センサー４０、４０A、４０Bの探知範囲内に人が進入すると、光源スイッチ回路３２により、人がいる場所の光源パネル２０(或いは２０A、２０B)上の主照明発光ダイオード２１を選択的に発光させる。
【００１２】
図５に示すように、機能処理回路３４は、受信器６１により、リモコン６０の機能設定信号を受信する。制御回路板３０上にはさらに、警備スイッチ回路３５を備える。警備スイッチ回路３５一端は、検知処理回路３１が出力する信号を受信し、反対端は、信号を光源スイッチ回路３２へと出力する。図１、２、５に示すように、照明具ハウジング１０上にはさらに、警報器７０を設置する。警報器７０は、警備スイッチ回路３５と電気的に連接し、これによりリモコン６０が警備機能の起動を設定すると、機能処理回路３４は、検知処理回路３１を制御する。図３、５に示すように、多数組の光源パネル２０、２０A、２０B上の人体センサー４０、４０A、４０Bが、物体の進入を探知すると、警備スイッチ回路３５を通して、警報器７０を触発し、警報器７０は警報を発する。同時に、光源スイッチ回路３２を駆動し、光源パネル２０(或いは２０A、２０B)上の主照明発光ダイオード２１を点灯させ、物体の方向へと光を照射する。
【００１３】
図５に示すように、制御回路板３０上には、警備スイッチ回路３５を設置する。図１、２、５に示すように、照明具ハウジング１０上にはさらに、警備情報発射器(無線警報情報発射器など)７１を設置する。これにより、警備情報発射器７１と警備スイッチ回路３５とは電気的に連接し、警報器７０が、警備スイッチ回路３５により触発されると、同時に、警備情報発射器７１も外部の受信エンドに対して、警報情報を発信する。図１、２に示すように、制御回路板３０上には、警備スイッチ回路３５を設置し、照明具ハウジング１０上には、警備スイッチ回路３５と電気的に連接する警報器７０と警備情報発射器７１を設置する。図２、４、５に示すように、少なくとも１組の光源パネル２０上にはさらに、気体探知器７２を設置する。検知処理回路３１の一端は、気体探知器７２の信号を受信し、気体探知器７２が室内の一酸化炭素、二酸化炭素、ガスなどの気体が危険値に達したことを探知すると、警備スイッチ回路３５により、警報器７０を触発する。さらに、警備情報発射器７１により、外部の受信エンドに対して、警報情報を発信する。図５に示すように、制御回路板３０上には、警備スイッチ回路３５を設置する。警備スイッチ回路３５一端は、検知処理回路３１が発信する信号を受信し、反対端は信号を、光源スイッチ回路３２へと発信する。
【００１４】
制御回路板３０上にはさらに、影像スイッチ回路３６を備える。影像スイッチ回路３６は、機能処理回路３４により起動を設定されると、光源スイッチ回路３２によりその作動を制御される。図１、２、４、５に示すように、照明具ハウジング１０上にはさらに、影像スイッチ回路３６と電気的に連接する影像発射器(無線影像発射器など)８０を設置する。しかも、少なくとも１組の光源パネル２０上には、撮影機８１を設置し、影像信号を、影像発射器８０へと出力する。図３に示すように、人体センサー４０、４０A、４０Bが、物体の進入を探知すると、図５に示すように、影像発射器８０は、撮影機８１が撮影した影像信号を、受信エンドに伝送する。受信エンドでは映像を見ることができるため、盗難防止、緊急対応能力を向上させることができる。
【００１５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１６】
本考案は機能と効果を大きく増進させ、該技術領域では、相同或いは近似の製品、考案は未見で、或いは公開、使用されていない。さらに本考案は実用新案の要件である新規性を備え、十分な進歩性を有し、実用性が高く、社会のニーズに合致しており、産業上の利用価値は非常に大きい。
【符号の説明】
【００１７】
１０  照明具ハウジング
２０、２０A、２０B  光源パネル
２１  主照明発光ダイオード
２２  夜間灯発光ダイオード
３０  制御回路板
３１  検知処理回路
３２  光源スイッチ回路
３３  感光処理回路
３４  機能処理回路
３５  警備スイッチ回路
３６  影像スイッチ回路
４０、４０A、４０B  人体センサー
５０  感光部品
６０  リモコン
６１  受信器
７０  警報器
７１  警備情報発射器
７２  気体探知器
８０  影像発射器
８１  撮影機
【図１】
0003152860.tif 000003
【図２】
0003152860.tif 000004
【図３】
0003152860.tif 000005
【図４】
0003152860.tif 000006
【図５】
0003152860.tif 000007